(57)【要約】【課題】ガスコンロのスペースを有効に利用することができ、ひいてはコンパクト化に寄与することができるガスコンロを提供する。【解決手段】ガスコンロは、本体ケース１１内にガスバーナ１６，１７を備えている。ガスバーナ１６，１７は、対象とする調理鍋等に合わせて両バーナ本体１６Ａ，１７Ａが横方向に所定の間隔を空けた状態で本体ケース１１に配置されている。また、ガスバーナ１６，１７は、ガス混合管１６Ｂ，１７Ｂがバーナ本体１６Ａ，１７Ａの間に位置するとともに、相手側のバーナ本体１６Ａ，１７Ａに向かって延びるように配置されている。これにより、バーナ本体１６Ａ，１７Ａの幅内にガス混合管１６Ｂ，１７Ｂを収めることが可能である。【選択図】      図３
2005061693.tif 000002
【特許請求の範囲】
【請求項１】
内周において内向きに開口する複数の炎口を有する環状のバーナ本体と、該バーナ本体から略接線方向に延出するガス混合管とを備えるガスバーナをコンロ本体内に複数備えるガスコンロであって、
前記複数のガスバーナのうち少なくとも一対のガスバーナにおけるガス混合管が該一対のガスバーナにおけるバーナ本体の間に位置するように該一対のガスバーナが配置されていることを特徴とするガスコンロ。
【請求項２】
前記一対のガスバーナを線対称状に配置したことを特徴とする請求項１に記載のガスコンロ。
【請求項３】
前記一対のガスバーナを点対称状に配置したことを特徴とする請求項１に記載のガスコンロ。
【請求項４】
前記一対のガスバーナにおけるガス混合管が延びる先には前記バーナ本体へのガスの供給制御を行うガス制御弁が配置されていることを特徴とする請求項１〜請求項３のいずれか一項に記載のガスコンロ。
【請求項５】
前記一対のガスバーナにおけるガス混合管は、互いに相手側のバーナ本体に向かって延びるように配置されていることを特徴とする請求項１〜請求項３のいずれか一項に記載のガスコンロ。
【請求項６】
内周において内向きに開口する複数の炎口を有する環状のバーナ本体と、該バーナ本体から略接線方向に延出するガス混合管とを備えるガスバーナをコンロ本体内に複数備えるガスコンロであって、
前記複数のガスバーナのうち少なくとも一対のガスバーナにおけるガス混合管は、背中合わせ状に配置されていることを特徴とするガスコンロ。
【請求項７】
前記一対のガスバーナにおけるガス混合管は、平面四角形状からなる前記コンロ本体の角部に向かって延びていることを特徴とする請求項６に記載のガスコンロ。
【発明の詳細な説明】
【技術分野】
【０００１】
本発明は、バーナ本体とガス混合管とを備えるガスバーナをコンロ本体内に複数備えるガスコンロに関するものである。
【背景技術】
【０００２】
従来、ガスコンロに配設されるガスバーナは、炎口を備えるバーナ本体と該バーナ本体から延びるガス混合管とを備えている。ガスバーナとしては、炎口が外側を向く外炎式のガスバーナと、炎口が内側を向く内炎式のガスバーナとが知られている。また、内炎式のガスバーナの場合、熱効率、燃焼性に優れる等の理由から、炎口から渦巻状に炎が出力されるものが使用されることが多く見られる（例えば、特許文献１参照）。また、このように炎を渦巻状に生じさせるためには、内側を向く炎口を内周に備える環状のバーナ本体に対し、ガス混合管がバーナ本体の略接線方向に延びるようにすることがよい。このような構成からなるガスバーナは、鍋等の調理器具の大きさに合わせて、本体ケース内で所定の間隔を空けた状態で配置されている。これらガスバーナの点火・消火や火力調節等の各種動作は、主としてコンロ本体に配設される制御装置により行われる。制御装置は、操作者による操作部の操作に基づき各種ガスバーナの制御を行う。
【０００３】
ところで、ガスコンロにおいては、キッチン等のレイアウトの幅を広げるため等、設置容積をできるだけ小さくすることが望まれており、薄型でコンパクトであることが要求されている。
【特許文献１】実開昭５５−１４９７５（第１頁、第１図）
【発明の開示】
【発明が解決しようとする課題】
【０００４】
ところが、近年、ガスコンロには様々な機能が付加されることが多く、特にガスバーナの制御を行う上記制御装置や操作部において様々な機能が付加されることが多い。例えば、制御装置においては加熱対象である調理器具の温度管理の機能や料理の種類に応じて火力を調節する等の機能が付加されている。一方、操作部においては、料理の種類に応じたスイッチが設けられたり、近年では、機械的なスイッチではなく非接触式のスイッチを用いることも考えられたりしている。
【０００５】
一般に、制御装置や操作部は、基板とその基板上に配設される各種部品とを備えており、機能の付加に伴いこれらは増加する。例えば、操作部においては、基板上に配設されるスイッチや操作状況を知らせるＬＥＤ等の部品点数が増加する。このため、制御装置や操作部がガスコンロにおいて占める容積が大きくなり、上記コンパクト化の要求に反してガスコンロの容積が増大してしまうことが考えられる。
【０００６】
本発明は、上記実情に鑑みなされたものであって、その目的は、ガスコンロのスペースを有効に利用することができ、ひいてはコンパクト化に寄与することができるガスコンロを提供することにある。
【課題を解決するための手段】
【０００７】
上記問題点を解決するために、請求項１に記載の発明は、内周において内向きに開口する複数の炎口を有する環状のバーナ本体と、該バーナ本体から略接線方向に延出するガス混合管とを備えるガスバーナをコンロ本体内に複数備えている。そして、前記複数のガスバーナのうち少なくとも一対のガスバーナにおけるガス混合管が該一対のガスバーナにおけるバーナ本体の間に位置するように前記一対のガスバーナが配置されている。
【０００８】
この発明によれば、複数のガスバーナは鍋等の調理器具の大きさに合わせて所定の間隔を空けた状態で配置されるため、その所定の間隔を空けることにより生じるバーナ本体間のスペース内にガス混合管を位置させることで、他にガス混合管を配置するためのスペースを確保する必要がなくなる。このため、スペースを有効に利用することができ、ひいては、コンパクト化することができる。
【０００９】
請求項２に記載の発明は、請求項１に記載の発明において、前記一対のガスバーナを線対称状に配置した。この発明によれば、ガス供給管の両側いずれかにスペースを確保することができるため、そのスペースにガスコンロを制御する制御装置や操作部等の他の部材を配置することができ、スペースを有効に利用することができる。
【００１０】
請求項３に記載の発明は、請求項１に記載の発明において、前記一対のガスバーナを点対称状に配置した。この発明によれば、ガス混合管を互い違いにすることができるため、ガス導管等のレイアウトを取りやすく、スペースを有効利用することができる。
【００１１】
請求項４に記載の発明は、請求項１〜請求項３のいずれか一項に記載の発明において、前記一対のガスバーナにおけるガス混合管が延びる先には前記バーナ本体へのガスの供給制御を行うガス制御弁が配置されている。この発明によれば、ガス制御弁とガス混合管とを繋ぐガス導管を最短にすることができるため、よりコンパクト化に寄与することができる。
【００１２】
請求項５に記載の発明は、請求項１〜請求項３のいずれか一項に記載の発明において、前記一対のガスバーナにおけるガス混合管は、互いに相手側のバーナ本体に向かって延びるように配置されている。この発明によれば、ガスバーナを配置する際に必然的にバーナ本体間に生じるスペースにガス混合管を収めることができる、このため、よりスペースを有効に利用することができ、コンパクト化が可能となる。
【００１３】
請求項６に記載の発明は、内周において内向きに開口する複数の炎口を有する環状のバーナ本体と、該バーナ本体から略接線方向に延出するガス混合管とを備えるガスバーナをコンロ本体内に複数備えている。そして、前記複数のガスバーナのうち少なくとも一対のガスバーナにおけるガス混合管は、背中合わせ状に配置されている。この発明によれば、ガス混合管を背中合わせ状に配置することで、スペースを有効に利用することができ、ひいてはコンパクト化に寄与することができる。
【００１４】
請求項７に記載の発明は、請求項６に記載の発明において、前記一対のガスバーナにおけるガス混合管は、平面四角形状からなる前記コンロ本体の角部に向かって延びている。この発明によれば、バーナ本体から延びるガス混合管をコンロ本体の角部に向かって配置することで、角部のスペースを有効に利用することができ、スペースを有効に利用することができる。
【発明の効果】
【００１５】
本発明によれば、スペースを有効に利用することができ、ひいてはコンパクト化することができる。
【発明を実施するための最良の形態】
【００１６】
（第１の実施の形態）
以下、本発明を具体化した一実施形態を図１〜図６を参照にして説明する。
図１及び図２に示すように、本実施形態におけるガスコンロは、平面四角形状からなるコンロ本体としての本体ケース１１及びその本体ケース１１の上面を覆う天板１２を備えている。本体ケース１１は、上面を開口した箱形状に形成され、その上端外周縁にはフランジ部１１ａが形成されている。天板１２は、耐熱性のガラス板１３とガラス板１３の縁部に取り付けられるフレーム部１４とで構成されており、ガラス板１３には一対のバーナ用開口１３ａが形成されている。ガラス板１３は透光性であるが着色（暗色）されており、本体ケース１１内を視認できないようになっている。また、このガラス板１３としては、結晶化ガラス、例えば、ドイツ国のショット社の「セラン」ガラス（「セラン」はショット日本株式会社の登録商標）が用いられている。そして、本体ケース１１がキッチンのカウンタトップ１５に形成された取付孔１５ａに嵌挿された状態で、本体ケース１１のフランジ部１１ａでカウンタトップ１５の上面に支持されて、いわゆるドロップイン式のガスコンロとなっている。なお、天板１２は、そのフレーム部１４でカウンタトップ１５に載置されている。
【００１７】
図２及び図３に示すように、本体ケース１１内にはバーナ用開口１３ａと対向するように一対のガスバーナ１６，１７が配設されている。また、バーナ用開口１３ａの周縁には五徳１８が取り付けられている。本体ケース１１の底面にはガス供給口１９が配置され、そのガス供給口１９は、ガスの供給を通断するためのメイン開閉バルブ２１及び同じくガスの供給を通断するとともに、ガス供給量を調節するガス制御弁としての一対のガス量調節バルブ２２ａ，２２ｂとガス配管２０を介して接続されている。一対のガス量調節バルブ２２ａ，２２ｂは、ガスバーナ１６，１７とガス導管２０ａを介して接続されている。
【００１８】
本体ケース１１の内底部において、両ガスバーナ１６，１７間の前端側の位置には制御ボックス２３が配設されている。この制御ボックス２３内には、両ガスバーナ１６，１７の点火や火力調節等の各種動作を制御するためメイン開閉バルブ２１やガス量調節バルブ２２ａ，２２ｂ等を制御する制御基板等が収容されている。本体ケース１１の内底部において制御ボックス２３の両側位置には、一対のイグナイタ２４ａ，２４ｂが配設され、これらのイグナイタ２４ａ，２４ｂはそれぞれ図示しない給電線を介して電極２５ａ，２５ｂに接続されている。そして、その電極２５ａ，２５ｂにおける高電圧による放電により、各ガスバーナ１６，１７を点火させる。
【００１９】
図１及び図４に示すように、天板１２のガラス板１３の上面には操作部２６Ａ〜２６Ｇを示す表示が印刷あるいは着色により両ガスバーナ１６，１７の中間前方に付設されているとともに、各一対の表示部２７Ａ〜２７Ｄが同じく印刷あるいは着色により付設されている。
【００２０】
図４〜図６に示すように、制御ボックス２３の上方で、かつ操作部２６Ａ〜２６Ｇ及び表示部２７Ａ〜２７Ｄに対応するガラス板１３の下面には操作基板３１がケース部材３０に収容された状態で接着材Ｓにより取り付けられている。操作基板３１は、ケース部材３０にねじ３１ａにより取り付けられている。ケース部材３０は、操作基板３１に配設された非接点型のスイッチ３２Ａ〜３２Ｇ及び表示ランプ３３Ａ〜３３Ｃと対応する部位に開口３０ａが形成された天面板３０ｂを備える底なしの箱体である。そして、操作部２６Ａ〜２６Ｇを操作者が選択的に接触操作したとき、それと対応するスイッチ３２Ａ〜３２Ｇにおいて、発光素子３４ａからの赤外線が指で反射して、それが受光素子３４ｂで感知され、操作者の操作状態が検出されるようになっている。また、操作者は、一対の表示部２７Ａ〜２７Ｄ間における火力表示ランプ３３Ｂ，３３Ｃの点灯表示状態に基づいて、火力の調節状態が確認できるようになっている。
【００２１】
スイッチ３２Ａ〜３２Ｇは、それぞれ操作部２６Ａ〜２６Ｇに対応して横方向に間隔をおいて配設されている。操作基板３１の前縁中央には電源スイッチ３２Ａが配置され、電源スイッチ３２Ａの両側方には、各ガスバーナ１６，１７の点火及び消火を行わせるための一対の点消火スイッチ３２Ｂ，３２Ｃが配置されている。各点消火スイッチ３２Ｂ，３２Ｃの両側には、各ガスバーナ１６，１７の火力を調節するための各一対の火力アップスイッチ３２Ｄ，３２Ｅ及び火力ダウンスイッチ３２Ｆ，３２Ｇが配置されている。
【００２２】
各スイッチ３２Ａ〜３２Ｇと対応するように、操作基板３１上にはＬＥＤ等よりなる複数の表示ランプ３３Ａ〜３３Ｃが配設されている。電源スイッチ３２Ａの後部には、電源の投入状態を点灯表示するための電源表示ランプ３３Ａが配置されている。ガスバーナ１６，１７用の点消火スイッチ３２Ｂ，３２Ｃ、火力アップスイッチ３２Ｄ，３２Ｅ及び火力ダウンスイッチ３２Ｆ，３２Ｇの後側近傍には、火力の調節状態（強弱状態）を点灯表示（最弱の１つ〜最強の５つ）するための５つの火力表示ランプ３３Ｂ，３３Ｃが横方向に配列されている。
【００２３】
図３に示すように、ガスバーナ１６，１７は、内周に炎口１６ａ，１７ａを備える環状のバーナ本体１６Ａ，１７Ａと、その環状のバーナ本体１６Ａ，１７Ａから延出するガス混合管１６Ｂ，１７Ｂとを備えている。ガスバーナ１６，１７は、ガス混合管１６Ｂ，１７Ｂに接続されたガス導管２０ａを介して燃料ガスを導入するとともに、ガス混合管１６Ｂ，１７Ｂの先端開口部から一次空気を導入して両者を混合する。本実施の形態では、ガスバーナ１６，１７は炎口１６ａ，１７ａが内方を向く内炎式のガスバーナとなっている。また、ガス混合管１６Ｂ，１７Ｂはバーナ本体１６Ａ，１７Ａからほぼ接線方向に延出しており、燃料ガス及び一次空気がガス混合管１６Ｂ，１７Ｂを介してバーナ本体１６Ａ，１７Ａに対して旋回流状に導入され、炎口１６ａ，１７ａでは渦巻状の炎が形成される。
【００２４】
ガスバーナ１６，１７は、対象とする調理鍋等に合わせて一対のバーナ本体１６Ａ，１７Ａが横方向に所定の間隔を空けた状態で本体ケース１１に配置されている。また、ガスバーナ１６，１７は、それらのガス混合管１６Ｂ，１７Ｂがバーナ本体１６Ａ，１７Ａの間に位置するとともに、相手側のバーナ本体１６Ａ，１７Ａに向かって延びるように配置されている。さらに、ガスバーナ１６，１７は、同図に示すように同形状のガスバーナ１６，１７が使用されて、基準点Ｘを基準にした点対称状に配置されている。このため、各ガスバーナ１６，１７におけるガス混合管１６Ｂ，１７Ｂは、互い違いに配置される。そして、互い違いに配置された状態のガス混合管１６Ｂ，１７Ｂの先端部から、上記ガス導管２０ａが延びておりガス量調節バルブ２２ａ，２２ｂに接続されている。また、ガスバーナ１６のガス混合管１６Ｂは、本体ケース１１の前方側（図３における下側）に若干ずれた状態にあり、そのずれにより生じるスペースにガス量調節バルブ２２ａが配置されている。
【００２５】
本実施の形態によれば、以下のような効果を得ることができる。
（１）バーナ本体１６Ａ，１７Ａの間にガス混合管１６Ｂ，１７Ｂを配置した。ガスバーナ１６，１７のバーナ本体１６Ａ，１７Ａは、調理鍋等に合わせて所定の間隔を空けた状態で配置されるため、その所定の間隔を空けたことにより生じるスペースにガス混合管１６Ｂ，１７Ｂが配置される。このため、ガスコンロの左右方向においてバーナ本体１６Ａ，１７Ａの幅内にガス混合管１６Ｂ，１７Ｂを収めることが可能である。従って、スペースを有効に利用することができ、ケース部材３０、制御ボックス２３及びガス量調節バルブ２２ａ，２２ｂ等を配置するスペースを十分に確保することができる。また、コンパクト化に寄与することができる。
【００２６】
（２）ガスバーナ１６，１７におけるガス混合管１６Ｂ，１７Ｂは、互いに相手側のバーナ本体１７Ａ，１６Ａに向かって延びるように配置されている。これにより、バーナ本体１６Ａ，１７Ａの前後及び左右の幅内でガス混合管１６Ｂ，１７Ｂを収めることができる。つまり、バーナ本体１６Ａ，１７Ａを配置することにより必然的に生じるスペース内にガス混合管１６Ｂ，１７Ｂを収めることができるため、よりスペースを有効に利用することができ、さらなるコンパクト化が可能となる。
【００２７】
（３）一対のガスバーナ１６，１７を点対称状に配置した。これにより、ガス混合管１６Ｂ，１７Ｂが互い違いになり、ガス混合管１６Ｂ，１７Ｂ同士が一次空気を取り合うことを防止できる。また、ガス導管２０ａをガスの管内抵抗を減らすようにレイアウトしたり、コンパクト化に寄与するようにレイアウトしたり等、ガス導管２０ａのレイアウトの幅を広げることができる。
【００２８】
（４）ガス混合管１６Ｂ，１７Ｂがバーナ本体１６Ａ，１７Ａの間に位置するようにガスバーナ１６，１７を配置するとともに、バーナ本体１６Ａ，１７Ａの間にガス量調節バルブ２２ａ，２２ｂを配置した。このため、ガス混合管１６Ｂ，１７Ｂからガス量調節バルブ２２ａ，２２ｂまでを繋ぐガス導管２０ａのレイアウトを行い易く（取り回しが良く）なり、スペースを有効に利用することができる。
【００２９】
（５）ガスバーナ１６，１７を点対称状に配置するとともに、ガスバーナ１６のガス混合管１６Ｂを若干前方側にずらした。これにより、そのずらしたことにより生じるスペースにガス量調節バルブ２２ａを配置することができ、スペースを有効に利用することができる。
【００３０】
（第２の実施の形態）
次に、本発明を具体化した第２の実施の形態について図７を参照にして説明する。なお、第２の実施形態は、第１の実施形態とガスバーナの数及び配置以外は基本的に同じであるため、第１の実施の形態と異なる点を中心に説明する。
【００３１】
図７に示すように、本実施の形態では、２つの内炎式のガスバーナ４０，４１を備えるとともに、外炎式のガスバーナ４２を備えている。ガスバーナ４２は、環状のバーナ本体４２Ａとそのバーナ本体４２Ａから半径方向に延びるガス混合管４２Ｂとで構成されている。ガスバーナ４０は、ガスバーナ４１のバーナ本体４１Ａ及びガス混合管４１Ｂに比べてバーナ本体４０Ａ及びガス混合管４０Ｂが小型に構成されており、火力等においてガスバーナ４１に比べて弱い小バーナである。ガスバーナ４１，４２は、本体ケース１１内で横方向に所定の間隔を空けた状態で配置されており、そのガスバーナ４１とガスバーナ４２との間の後方にガスバーナ４０が配置されている。
【００３２】
ガスバーナ４０，４１の形状は、環状のバーナ本体４０Ａ，４１Ａからほぼ接線方向にガス混合管４０Ｂ，４１Ｂが延びている点で上記第１の実施の形態と同じであるが、ガスバーナ４０はガス混合管４０Ｂから導入されるガス及び一次空気が左周りで旋回し、一方、ガスバーナ４１は導入されるガス及び一次空気が右周りで旋回する。
【００３３】
ガスバーナ４０，４１は、近接した状態でガス混合管４０Ｂ，４１Ｂが背中合わせ状に対向するように配置されている。また、ガス混合管４０Ｂ，４１Ｂは、本体ケース１１のほぼ角部に向かうように配置されている。そして、そのガス混合管４０Ｂ，４１Ｂの先端部からガスバーナ４１の前方部に配置される点火・火力調節装置（ガスコック）４３，４４にガス導管２０ａを介して接続されている。また、ガスバーナ４２のガス混合管４２Ｂは、ガスバーナ４２の前方に配置される点火・火力調節装置（ガスコック）４５にガス導管２０ａを介して接続されている。点火・火力調節装置４３，４４，４５からは、操作軸４３ａ，４４ａ，４５ａが本体ケース１１の前方に形成された操作軸用透孔１１ｂを介して本体ケース１１の前方側に突出している。そして、各操作軸４３ａ，４４ａ，４５ａに操作つまみ４６が取り付けられて操作部を構成している。これら操作つまみ４６を操作者が回動操作することにより、点火・火力調節装置４３，４４，４５が作動されて、各ガスバーナ４０，４１，４２の点火・消火動作や火力調節等が行われる。
【００３４】
本実施の形態によれば、以下のような効果を得ることができる。
（１）ガス混合管４０Ｂ，４１Ｂが背中合わせ状に対向するようにガスバーナ４０，４１を配置した。一般に、本実施の形態のようにガスバーナを３つ備えるガスコンロにおいては、２つのガスバーナ４１，４２が横方向に所定の間隔を空けた状態で配置されるとともに、その間の後方に両ガスバーナ４１，４２よりも小型で火力の弱いガスバーナ４０が配置される。この際、本実施形態におけるガスバーナ４０，４１は、環状のバーナ本体４０Ａ，４１Ａからほぼ接線方向にガス混合管４０Ｂ，４１Ｂが延びてガス混合管４０Ｂ，４１Ｂがバーナ本体４０Ａ，４１Ａに対して偏在している。このため、ガス混合管４０Ｂ，４１Ｂを背中合わせ状に配置することで、バーナ本体４０Ａ，４１Ａが干渉し合うことなく、スペースを有効に利用することができ、ひいてはコンパクト化に寄与することができる。
【００３５】
（２）ガス混合管４０Ｂ，４１Ｂが本体ケース１１のほぼ角部に向かうようにガスバーナ４０，４１が配置されている。これにより、バーナ本体４０Ａ，４１Ａから突出するガス混合管４０Ｂ，４１Ｂを角部のスペースに合理的に配置することができ、スペースを有効に利用することができる。
【００３６】
（３）ガスバーナ４０，４１のガス混合管４０Ｂ，４１Ｂをほぼ角部に向けることにより、本体ケース１１の中央付近にガス混合管４０Ｂ，４１Ｂが位置することがなくなり、その中央部にスペースを確保することができる。これにより、例えば、図７に２点鎖線で示すようなグリルＧをガスバーナ４０，４１の下方に配置することができ、ガス混合管４０Ｂ，４１Ｂの先端開口部を介してグリルにより熱せられた一次空気が導入されることを回避できる。
【００３７】
なお、本実施形態は以下のように変更してもよい。
・  第１の実施の形態において、ガスバーナ１６，１７を点対称状に配置していたが、ガスバーナ１６，１７を線対称状に配置してもよい。これにより、図８に示すように、ガス混合管１６Ｂ，１７Ｂの両側いずれか（同図では下側）にスペースを確保することができる。このため、そのスペースに制御ボックス２３やケース部材３０等を配置することができ、スペースを有効に利用することができる。また、図９に示すように、ガスバーナ１６，１７を線対称状に配置するとともに、そのガス混合管１６Ｂ，１７Ｂを若干ずらすことで、各ガス混合管１６Ｂ，１７Ｂが取り入れる一次空気が干渉し合うことを防止できる。なお、各図に示す一点鎖線Ｙは線対称の基準となる線である。
【００３８】
さらに，一対のガスバーナ１６，１７を図１０に示すような線対称で配置してもよい。この場合、上記第１の実施の形態のようにガス混合管１６Ｂ，１７Ｂが相手側のバーナ本体１７Ａ，１６Ａに向かって延びていないが、バーナ本体１６Ａ，１７Ａの間にスペースを確保できるとともに、ガス混合管１６Ｂ，１７Ｂの向く先にガス量調節バルブ２２ａ，２２ｂを配置することができる。このため、バーナ本体１６Ａ，１７Ａ間のスペースに制御ボックス２３等を配置することができるとともに、ガス混合管１６Ｂ，１７Ｂからガス量調節バルブ２２ａ，２２ｂに至るガス導管２０ａを短くすることができ、コンパクト化に寄与することができる。ガスバーナ１６，１７の中心１６Ｏ，１７Ｏをこの位置にとりながら、ガス混合管１６Ｂ，１７Ｂを長く得ることも可能である。
【００３９】
・  第１の実施の形態において、ガスバーナ１６のガス混合管１６Ｂを前方に若干ずらした状態で一対のガスバーナ１６，１７を点対称状に配置していたが、図１１に示すようにガス混合管１６Ｂをずらすことなく点対称に配置してもよい。この場合、ガス量調節バルブ２２ａ，２２ｂをガスバーナ１７寄りに配置することで、スペースを有効に利用することができる。また、ガス混合管１６Ｂ，１７Ｂがバーナ本体１６Ａ，１７Ａに対して偏在しているため、ガスバーナ１６，１７を点対称状に配置することで、バーナ本体１６Ａ，１７Ａ間の距離を小さくしたい場合にガス混合管１６Ｂ，１７Ｂを互いに入れ込むことで可能となる。
【００４０】
・  第２の実施の形態において、一対のガスバーナ４０，４１におけるガス混合管４０Ｂ，４１Ｂを背中合わせ状に配置するとともに、そのガス混合管４０Ｂ，４１Ｂを本体ケース１１の角部に向かって延びるように配置した。これに限らず、例えば、ガス混合管４０Ｂ，４１Ｂを背中合わせ状に配置するとともに、そのガス混合管４０Ｂ，４１Ｂが互いに逆の方向に延びるようにガスバーナ４０，４１を配置してもよい。また、ガス混合管４０Ｂ，４１Ｂを角部に向けることなく背中合わせ状に配置してもよい。これらによっても、ガスバーナ４０，４１を近接して配置する際にガス混合管４０Ｂ，４１Ｂが干渉し合うことがないため、コンパクト化に寄与することができる。
【００４１】
・  第１の実施の形態では、一対のガスバーナ１６，１７のみを備えるガスコンロであったが、２対以上備えるガスコンロであってもよい。例えば、図１２に示すように、線対称状に配置されたガスバーナ１６，１７を２対備えるガスコンロであってもよい。
【００４２】
・  第１の実施の形態において、一対のガスバーナ１６，１７において、ガス混合管１６Ｂ，１７Ｂがバーナ本体１６Ａ，１７Ａの間に位置するように配置するとともに、相手側のバーナ本体１６Ａ，１７Ａに向かうように配置した。しかし、ガス混合管１６Ｂ，１７Ｂを相手側のバーナ本体１７Ａ，１６Ａに向けるのではなく、単にバーナ本体１６Ａ，１７Ａの間に位置するように配置するだけでもよい。これによっても、バーナ本体１６Ａ，１７Ａ間のスペースにガス混合管１６Ｂ，１７Ｂを配置することになるため、ガスコンロの左右方向においてスペースを有効に利用することができ、コンパクト化に寄与することができる。
【００４３】
・  第２の実施の形態におけるガスバーナ４０，４１を第１の実施の形態における一対のガスバーナ１６，１７のように点対称状に配置してもよい。
・  第１の実施の形態において、一対のガスバーナ１６，１７以外にガスバーナを備えるガスコンロであってもよく、例えば、ガスバーナ１６，１７の間の後方にもう１つ内炎式のガスバーナを備えるガスコンロとしてもよい。
【００４４】
・  第１の実施の形態では、操作部として非接触式のスイッチを使用していたが、第２の実施形態のようにつまみ式の操作部を用いてもよい。また、逆に第２の実施の形態において第１の実施の形態のような非接触式のスイッチを用いてもよい。操作部については特に限定されない。
【００４５】
・  第２の実施の形態において、ガスバーナ４２を外炎式のガスバーナで構成したが、内炎式のガスバーナで構成してもよい。
・  第１の実施の形態ではバーナ本体１６Ａ，１７Ａからほぼ接線方向に延びるガス混合管１６Ｂ，１７Ｂを備えるガスバーナ１６，１７を使用し、スペースを有効に利用して、コンパクト化に寄与する構成とした。しかし、同様の目的を達成するものとして、例えば、図１３に示すように、バーナ本体４６Ａ，４７Ａから半径方向に延びるガス混合管４６Ｂ，４７Ｂを備えるガスバーナ４６，４７を用いてもよい。この場合、ガスバーナ４６，４７のバーナ本体４６Ａ，４７Ａを前後方向にずらして配置するとともに、ガス混合管４６Ｂが後側、ガス混合管４７Ｂが前側を向くように配置する。これによっても、ガス混合管４６Ｂ，４７Ｂがバーナ本体４６Ａ，４７Ａの間にあるためスペースを有効に利用することができる。また、ガス混合管４６Ｂの後側近傍のスペースに点火のための電極（図示略）を作動させるバッテリや制御ボックス等の熱を嫌う部品４８（同図に二点鎖線で示す）を配置することでバーナ本体４６Ａ，４７Ａから離れた位置に部品４８を配置することになり、熱から部品４８を保護することができる。また、ガス混合管４６Ｂの先端開口部から空気が導入されることでガス混合管４６Ｂの後側近傍には空気の流れが生じる。このため、その空気の流れによっても部品４８が熱から保護される。
【００４６】
次に、上記各実施の形態から把握できる技術的思想について以下に記載する。
（１）炎口を備える環状のバーナ本体と、該バーナ本体から半径方向に延出するガス混合管とを備えるガスバーナをコンロ本体内に複数備えるガスコンロにおいて、
前記複数のガスバーナのうち少なくとも一対のガスバーナにおけるバーナ本体を前記コンロ本体における前後方向にずらして配置するとともに、前側に配置されたガスバーナのガス混合管が後側、後側に配置されたガスバーナのガス混合管が前側を向くように前記一対のガスバーナを配置したことを特徴とするガスコンロ。
【図面の簡単な説明】
【００４７】
【図１】第１の実施の形態におけるガスコンロの平面図。
【図２】ガスコンロの横断面図。
【図３】第１の実施の形態におけるガスバーナの配置を示す平面図。
【図４】操作部及び表示部の拡大平面図。
【図５】ケース部材の断面図。
【図６】ガスコンロの部分拡大断面図。
【図７】第２の実施の形態におけるガスバーナの配置を示す平面図。
【図８】別の実施の形態におけるガスバーナの配置を示す平面図。
【図９】別の実施の形態におけるガスバーナの配置を示す平面図。
【図１０】別の実施の形態におけるガスバーナの配置を示す平面図。
【図１１】別の実施の形態におけるガスバーナの配置を示す平面図。
【図１２】別の実施の形態におけるガスバーナの配置を示す平面図。
【図１３】別の実施の形態におけるガスバーナの配置を示す平面図。
【符号の説明】
【００４８】
１１…コンロ本体としての本体ケース、１６，１７，４０，４１…ガスバーナ、１６Ａ，１７Ａ，４０Ａ，４１Ａ…バーナ本体、１６ａ，１７ａ…炎口、１６Ｂ，１７Ｂ，４０Ｂ，４１Ｂ…ガス混合管、２２ａ，２２ｂ…ガス制御弁としてのガス量調節バルブ。
【図１】
2005061693.tif 000003
【図２】
2005061693.tif 000004
【図３】
2005061693.tif 000005
【図４】
2005061693.tif 000006
【図５】
2005061693.tif 000007
【図６】
2005061693.tif 000008
【図７】
2005061693.tif 000009
【図８】
2005061693.tif 000010
【図９】
2005061693.tif 000011
【図１０】
2005061693.tif 000012
【図１１】
2005061693.tif 000013
【図１２】
2005061693.tif 000014
【図１３】
2005061693.tif 000015